(57)【要約】【課題】ハンディスキャナの置き易さ、取り出し易さを改善できる商品販売データ処理装置およびカウンタを提供することである。【解決手段】実施形態の商品販売データ処理装置は、無線通信式のハンディスキャナと、前記ハンディスキャナと無線通信を行う制御部と、平坦部を含む上面を有し、一側面側から金銭の出し入れが可能なドロワと、前記一側面側に向けてレシートを排出する排出口と、を上部に備え、内部に前記制御部を備えた筐体と、を備え、前記筐体の上面の前記一側面側の端部には、前記ハンディスキャナの持ち手とは反対側の端部を内部に投げ込める収納ポケットが設けられ、当該収納ポケットは、内部に収納された前記ハンディスキャナに対して非接触式充電を行う充電手段を備えた。【選択図】図１
2015052929.tif 000002
【特許請求の範囲】
【請求項１】
無線通信式のハンディスキャナと、
前記ハンディスキャナと無線通信を行う制御部と、
平坦部を含む上面を有し、一側面側から金銭の出し入れが可能なドロワと、前記一側面側に向けてレシートを排出する排出口と、を上部に備え、内部に前記制御部を備えた筐体と、を備え、
前記筐体の上面の前記一側面側の端部には、前記ハンディスキャナの持ち手とは反対側の端部を内部に投げ込める収納ポケットが設けられ、
当該収納ポケットは、内部に収納された前記ハンディスキャナに対して非接触式充電を行う充電手段を備えた、商品販売データ処理装置。
【請求項２】
前記ハンディスキャナの充電完了を検出する検出手段と、
前記筐体の前記収納ポケットの近傍に、前記ハンディスキャナの充電完了を報知する報知手段を備えた、請求項１に記載の商品販売データ処理装置。
【請求項３】
前記ハンディスキャナの充電完了を報知する画面を表示する表示部を更に備えた、請求項２に記載の商品販売データ処理装置。
【請求項４】
前記筐体の上面の左右両側に前記収納ポケットを備えた、請求項１ないし３のいずれか１つに記載の商品販売データ処理装置。
【請求項５】
平坦部を含む上面を有し、一側面側から金銭の出し入れが可能なドロワと、前記一側面側に向けてレシートを排出する排出口と、を上部に備えた筐体を備え、
前記筐体の上面の前記一側面側の端部には、無線通信式のハンディスキャナの持ち手とは反対側の端部を投げ込める収納ポケットが設けられ、
当該収納ポケットは、内部に収納された前記ハンディスキャナに対して非接触充電を行う充電手段を備えた、カウンタ。
【発明の詳細な説明】
【技術分野】
【０００１】
本発明の実施形態は、商品販売データ処理装置およびカウンタに関する。
【背景技術】
【０００２】
近年、コンビニエンスストア等の小売店舗のチェックアウトコーナーでは、無線通信式のハンディスキャナを備えたＰＯＳ（Point  Of  Sales：販売時点管理）装置の利用が進んでいる。このようなハンディスキャナは、無線式であるがためにハンディスキャナの定位置が定まらず、カウンタ上の物品や商品等に紛れ込み易いという課題がある。
【０００３】
一方で、非接触式充電モジュールを備えたクレードルや卓上ホルダをＰＯＳ装置に接続し、当該ホルダ等をハンディスキャナの定位置として用いる場合もある。クレードルや卓上ホルダはＰＯＳ装置にＵＳＢ（Universal  Serial  Bus）接続されるが、軽量であるためレジ作業の流れの中で動いてしまうことも多い。また、このようなクレードルや卓上ホルダは通常、フラットな上面にハンディスキャナを載せておくタイプのものが多く、設置したハンディスキャナが落ちてしまい易いという課題もあった。
【０００４】
また、従来から有線式、無線式に限らず、チェックアウトコーナーにてハンディスキャナを置き易く、かつ、取り出し易い設置場所を設けたいという要望もあった。
【発明の概要】
【発明が解決しようとする課題】
【０００５】
本発明が解決しようとする課題は、ハンディスキャナの置き易さ、取り出し易さを改善できる商品販売データ処理装置およびカウンタを提供することである。
【課題を解決するための手段】
【０００６】
実施形態の商品販売データ処理装置は、無線通信式のハンディスキャナと、前記ハンディスキャナと無線通信を行う制御部と、平坦部を含む上面を有し、一側面側から金銭の出し入れが可能なドロワと、前記一側面側に向けてレシートを排出する排出口と、を上部に備え、内部に前記制御部を備えた筐体と、を備え、前記筐体の上面の前記一側面側の端部には、前記ハンディスキャナの持ち手とは反対側の端部を内部に投げ込める収納ポケットが設けられ、当該収納ポケットは、内部に収納された前記ハンディスキャナに対して非接触式充電を行う充電手段を備えた。
【図面の簡単な説明】
【０００７】
【図１】図１は、本実施形態にかかる商品販売ユニットを示す外観斜視図である。
【図２】図２は、操作表示部を筐体の上面に対して起こした状態を示す図である。
【図３】図３は、スキャナポケットの概略構成図である。
【図４】図４は、スキャナポケットの内部構成図である。
【図５】図５は、ＰＯＳ装置の機能構成を示すブロック図である。
【図６】図６は、商品販売ユニットのその他の実施形態を示す外観斜視図である。
【図７】図７は、商品販売ユニットのその他の実施形態を示す外観斜視図である。
【発明を実施するための形態】
【０００８】
図１は、本実施形態にかかる商品販売ユニット１の構成を示す外観斜視図である。商品販売ユニット１は、商品販売データ処理装置の一例としてのＰＯＳ装置２と、カウンタ３とを備えている。尚、商品販売ユニット１の備えるＰＯＳ装置２およびカウンタ３の台数および配置は特に限定されない。図１ではＰＯＳ装置２の左側にカウンタ３を備える例を示したが、ＰＯＳ装置２の右側にカウンタ３を備える構成としてもよい。また、商品販売ユニット１はＰＯＳ装置２の両側にカウンタ３を備えてもよいし、カウンタ３の両側にＰＯＳ装置２を備えてもよい。
【０００９】
ＰＯＳ装置２は、制御部５０を収納する筐体４を備えている。ＰＯＳ装置２の筐体４と、カウンタ３とは、各部の左右側面に設けられた連結具（不図示）でそれぞれ連結および脱着可能に構成されている。連結する際のレイアウトは変更自在であり、図１に示す並び順に限られない。
【００１０】
筐体４の上面４０およびカウンタ３において、上面３０の中央部は平坦な面となっている。筐体４の上面４０と、カウンタ３の上面３０とは、連結時に高さが揃うよう設けられている。また、各上面において他の上面と連結する端部（辺）は、小銭や紙幣等が引っ掛かるような溝ができないよう構成されている。そして、各部を連結すると、上記各部の上面３０、４０が全体として商品販売ユニット１の上面として機能し、広い平坦部分を有する作業スペースを確保することができる。
【００１１】
また、筐体４の上面４０の客側（図１奥側）の端部には、客用表示部４１が設けられている。客用表示部４１としては、表面にタッチパネルを配設した液晶パネル等を用いることができる。客用表示部４１の上面は筐体４の上面４０と平坦な同一面を成すように形成され、客用表示部４１の上面も作業スペースとして利用することができる。
【００１２】
客用表示部４１は、図１に示すように筐体４の上面４０に沿って設けられ、その表示面は上方を向けて設けられている。これにより、後ろに並んでいる他の客に対して表示画面を見えにくくすることができる。従って、購入商品名、購入価格等、客のプライバシーに関わる情報を守り易い。
【００１３】
カウンタ３の上面３０の客側の端部にも、客用表示部３１が設けられている。客用表示部３１の構成は、客用表示部４１の構成と同様である。カウンタ３は、荷詰め作業、カタログ閲覧や伝票記入などに用いることができる。客用表示部３１は制御部５０に電気的に接続されており、制御部５０の制御により電子カタログや各種受付画面を表示したり、客への販促情報等を表示したりする。
【００１４】
また、客用表示部４１に近接する位置の筐体４、および、客用表示部３１に近接する位置のカウンタ３には、非接触ＩＣカードに対してデータ通信を行うカードＲＷ（リーダライタ）５がそれぞれ設けられている。
【００１５】
さらに、筐体４の上面４０およびカウンタ３の上面３０には、店員用および客用として兼用可能な操作表示部４２、３２がそれぞれ設けられている。操作表示部４２、３２の装置構成は特に限定されないが、表面にタッチパネルを配設した大型の液晶パネルを用いるとよい。操作表示部４２、３２は、上面４０、３０に対する角度をそれぞれ変えられるよう上面４０、３０にそれぞれ保持されている。操作表示部４２、３２の機能構成はほぼ同様であるので、以下、操作表示部４２について説明する。
【００１６】
図２は、操作表示部４２を筐体４の上面４０に対して起こした状態を示す図である。筐体４の上面４０には、内側に操作表示部４２を収納可能な収納溝４２ａが設けられている。収納溝４２ａは、操作表示部４２よりも一回り大きい寸法の凹部である。また、収納溝４２ａの左右両側には凹部４２ｂが設けられている。凹部４２ｂは、操作表示部４２を収納溝４２ａから引き出して起立させる場合に手を差し込むための溝である。凹部４２ｂは、小銭等が内側に落ちてしまった場合に当該小銭等を滑らせて掬い出せるようなだらかなスロープになっている。
【００１７】
操作表示部４２は、収納溝４２ａの左右両側の内壁に設けられた軸受け（不図示）に、操作表示部４２の側面の軸（不図示）を嵌めることで収納溝４２ａに保持されている。このように保持することで、操作表示部４２は軸回りに回動可能となる。従って、ユーザが操作表示部４２を収納溝４２ａから引き上げれば、表示画面を上面４０に対して立てた起立状態（図２）とすることができる。また、ユーザが操作表示部４２を押し倒して収納溝４２ａ内に収納すれば、表示画面を上面４０に沿わせた収納状態（図１）とすることができる。
【００１８】
尚、操作表示部４２を保持するための保持機構は、操作表示部４２の上面４０に対する角度（傾き）を変えて上記起立状態または収納状態にできるものであればよく、その構成は特に限定されない。
【００１９】
図１には収納状態の操作表示部４２が示されている。図１に示すように、収納状態において操作表示部４２の表示画面は、上面４０に沿って当該上面４０とともに平坦面をなすよう設けられている。従って、収納状態の表示画面は、客側（図１奥側）、店員側（図１手前側）のどちらからでも見ることができ、操作することができる。操作に不慣れな客は操作方法を店員に聞きながら操作を進めることができる。また、店員が客の入力操作を補助する場合にも、店員はドロワ４５側に立ったまま、操作表示部４２に対する操作を行うことができる。
【００２０】
図１において、筐体４の上部であって客用表示部４１と反対側の側面には、カードＲＷ（リーダライタ）４３の差込口と、排紙口４４とが設けられている。筐体４内部に設置されたプリンタ４４ａ（図５参照）は、制御部５０の制御に基づいてレシートＲ等を印刷し、印刷したレシートＲ等を排紙口４４から排出する。排紙口４４の隣には、金銭を収納するドロワ４５が設けられている。このように排紙口４４とドロワ４５とが隣接して設けられているので、ドロワ４５から釣銭を取り出して、レシートＲとともに客に手渡す作業をスムーズに行うことができる。
【００２１】
また、筐体４の上面４０においてドロワ４５側の端部近傍には、スキャナ６を収納するためのスキャナポケット７が設けられている。スキャナポケット７はカウンタ３の上面３０にも設けられている。
【００２２】
スキャナ６は、無線通信式のハンディスキャナである。オペレータ（店員）は、スキャナポケット７からスキャナ６を取り出して商品やカタログに付された商品コードを読み取る。スキャナ６により読み取られた商品コードは、無線通信によりＰＯＳ装置２の制御部５０に送信され、ＰＯＳ装置２は受信した商品コードを用いて商品の販売登録を行う。
【００２３】
図３は、スキャナポケット７の概略構成図であり、図４は、スキャナポケット７の内部構成図である。スキャナポケット７は、スキャナ６の頭部６６を内部に投げ込めるよう、筐体４に設けられた穴である。スキャナ６の頭部６６とは、スキャナ６の持ち手とは反対側の端部のことであり、コード読取用のレーザ光が射出される側の端部のことである。尚、カメラ式のスキャナの場合には、カメラのレンズが設けられる側の端部のことである。
【００２４】
図３に示すように、スキャナポケット７の内側壁７３は、スキャナ６の頭部６６を覆うように設けられている。スキャナポケット７の形状は特に限定されないが、内側壁７３はスキャナ６の頭部６６の形状に沿った形状であるとよい。また、内側壁７３は、スキャナ６の出し入れの際に引っ掛かりの無いような形状であるとよい。
【００２５】
図４に示すように、スキャナ６は内部にバッテリ６５を備えている。バッテリ６５の構成は特に限定されないが、例えばリチウムイオンバッテリ等を用いることができる。一方、スキャナポケット７の内側には、スキャナ６のバッテリ６５に非接触式充電を行う充電モジュール７１が設けられている。非接触電力伝送の方式は特に限定されるものではなく、一例として電磁誘導方式等を用いればよい。
【００２６】
図１に戻って、筐体４のドロワ４５側の下部にはラック４６が複数段設けられ、物品を収納可能に構成されている。カウンタ３も同様に、客用表示部３１と反対側の側面にラック３６を複数段備えている。
【００２７】
また、筐体４の内部にはＰＯＳ装置２のシステム制御を行う制御部５０が収納されている。制御部５０の機能構成については図５を用いて説明する。
【００２８】
図５は、ＰＯＳ装置２の機能構成を示すブロック図である。図５に示すように、ＰＯＳ装置２は、制御部５０、通信Ｉ／Ｆ（Interface）６２、６３、６４、カードＲＷ（リーダライタ）５、４３、プリンタ４４ａ、ドロワ４５、客用表示部４１、操作表示部４２、充電モジュール７１、ＬＥＤ７２を備え、各部はバス６１で接続されている。制御部５０は、通信Ｉ／Ｆ６２および無線ＬＡＮ（Local  Area  Network）を介して外部装置とデータ通信する。また、制御部５０には通信Ｉ／Ｆ６４を介してカウンタ３のカードＲＷ５、客用表示部３１、操作表示部３２、充電モジュール７１、ＬＥＤ７２が接続されている。
【００２９】
制御部５０は、ＣＰＵ（Central  Processing  Unit）、ＲＯＭ（Read  Only  Memory）、ＲＡＭ（Random  Access  Memory）を有する。ＲＯＭは本実施形態のプログラムを記憶する。ＲＡＭは一時的にデータを格納するワークメモリである。また、ＣＰＵ（プロセッサ）は、ＲＯＭに格納された本実施形態のプログラムをＲＡＭに展開して実行することにより、図５に示すように、コード受付部５１、販売登録部５２、スキャナ検出部５３、充電制御部５４、報知部５５として機能する。
【００３０】
コード受付部５１は、スキャナ６が送信した商品コードを、通信Ｉ／Ｆ６３を介して受信してその入力を受付ける。
【００３１】
販売登録部５２は、コード受付部５１が受付けた商品コードに対応する商品の販売登録を行う。販売登録部５２は、販売登録した商品の情報を、通信Ｉ／Ｆ６２を介してストアサーバに送信する。加えて販売登録部５２は、通信Ｉ／Ｆ６２および無線ＬＡＮ等のネットワークを介して外部サーバとの間で取引や販売等に関する情報の相互通信を行う。
【００３２】
スキャナ検出部５３は、スキャナ６がスキャナポケット７に収納されたことを検出する。検出方法は特に限定されないが、例えば充電モジュール７１のコイルインダクタンスの変化によりスキャナ６の近接を検出する方法を用いてもよい。
【００３３】
充電制御部５４は、充電モジュール７１を制御してスキャナ６の充電を制御する。例えば、充電制御部５４は、スキャナ検出部５３によりスキャナ６がスキャナポケット７に収納されたことが検出されると、スキャナ６のバッテリ６５の残量を検出する。そして、バッテリ残量が所定残量以下である場合、バッテリ６５の充電を行う。また、充電制御部５４はバッテリ残量が所定残量以上となると、バッテリ６５の充電を完了する。
【００３４】
報知部５５は、バッテリ６５のバッテリ残量や充電処理に関する報知をＬＥＤ７２、操作表示部４２を用いて行う。即ち、報知部５５は、バッテリ６５が充電中である場合に、ＬＥＤ７２を赤色に点滅させて、充電中であることを報知する。加えて報知部５５は、操作表示部４２の表示画面内に、バッテリ６５を充電中であることを示すマークやメッセージを表示する。
【００３５】
また、報知部５５は、バッテリ６５の充電が完了した場合に、ＬＥＤ７２を緑色に点灯し、充電が完了したことを報知する。加えて報知部５５は、操作表示部４２の表示画面内に、バッテリ６５の充電が完了したことを示すマークやメッセージを表示する。尚、報知部５５は、音声通知やブザーを用いてこれら報知を行ってもよい。
【００３６】
スキャナ６がカウンタ３のスキャナポケット７に収納されている場合には、報知部５５は上記報知をカウンタ３のＬＥＤ７２および操作表示部３２にて行う。尚、いずれのスキャナポケット７に収納された場合であっても、ＰＯＳ装置２の操作表示部４２において充電状態を表示してもよい。
【００３７】
図６、図７は、商品販売ユニットのその他の実施形態を示す外観斜視図である。例えば、ＰＯＳ装置２またはカウンタ３は、複数のスキャナポケット７を備えてもよい。一例として図６に示すように、ＰＯＳ装置２は、筐体４の上面４０の左右両側にスキャナポケット７を備えてもよい。カウンタ３についても、その上面３０の左右両側にスキャナポケット７を備えてもよい。
【００３８】
また、商品販売ユニットは上述した構成に限定されない。例えば図７に示すように、筐体上面に突出して保持された操作表示部１０を備えたＰＯＳ装置２において、本実施形態のスキャナポケット７を設けてもよい。なお、図７において、操作表示部１０は表示部１１と操作部１２とを備え、ポール１５で筐体の上面４０に保持されている。
【００３９】
このような形態においても、本実施形態と同様の効果が得られる。加えて、スキャナ６の置き場所が固定されているため、ＰＯＳ装置２の上面４０を作業スペースとして用いる際にもスキャナ６を必要に応じてスムーズに取り出しやすい。また、カウンタ３のスキャナポケット７にもスキャナ６を収納しておけるため、スキャナ収納の利便性を向上できる。
【００４０】
尚、上述では無線通信式のスキャナ６を用いる構成について示したが、有線通信式のハンディスキャナを用いる構成のＰＯＳ装置において、上記実施形態と同様のスキャナポケットを筐体上面の店員側端部に設けるとしてもよい。
【００４１】
以上のように本実施形態のＰＯＳ装置２は、筐体４の上面４０の店員側の端部に、スキャナ６の持ち手とは反対側の端部を内部に投げ込めるスキャナポケット７を設けた。またスキャナポケット７内部には、非接触式の充電モジュール７１を設けた。これにより、スキャナ６をスキャナポケット７内に簡単に投げ込んで収納できるとともに、充電も行うことができる。従って、本実施形態によれば、ハンディスキャナの置き易さ、取り出し易さを改善することができる商品販売データ処理装置およびカウンタを提供することができる。
【００４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
１…商品販売ユニット、２…ＰＯＳ装置、３…カウンタ、４…筐体、６…スキャナ、７…スキャナポケット、３０、４０…上面、３１、４１…客用表示部、３２、４２…操作表示部、４２ａ…収納溝、４２ｂ…凹部、４４…排紙口、４５…ドロワ、５０…制御部、５１…コード受付部、５２…販売登録部、５３…スキャナ検出部、５４…充電制御部、５５…報知部、６５…バッテリ、６６…頭部、７１…充電モジュール、７３…内側壁、Ｒ…レシート。
【先行技術文献】
【特許文献】
【００４４】
【特許文献１】特開平３−１２３９９１号公報
【図１】
2015052929.tif 000003
【図２】
2015052929.tif 000004
【図３】
2015052929.tif 000005
【図４】
2015052929.tif 000006
【図５】
2015052929.tif 000007
【図６】
2015052929.tif 000008
【図７】
2015052929.tif 000009